(57)【要約】【課題】生産性を向上させ、ニット衣料の縁取り部が反り返ることがなく、また、分厚くならないニット衣料を提供する。【解決手段】タック目編み、片畦編み、両畦編み、袋編み、振り柄編みのいずれか、あるいは、これらの組み合わせにより、ニット衣料の縁取り部２２を編成し、上記縁取り部２２のウェールａ〜ｇ・・・の編み目を、本体部分２３の編み組織の折り返しコース１〜５・・・ごとに、または複数飛びの折り返しコースごとに本体部分２３の編み糸でもって編み込んでなる。【選択図】図１
2007197856.tif 000002
【特許請求の範囲】
【請求項１】
タック目編み、片畦編み、両畦編み、袋編み、振り柄編みのいずれか、あるいは、これらの組み合わせにより、ニット衣料の縁取り部を編成し、上記縁取り部のウェールの編み目を、本体部分の編み組織の折り返しコースごとに、または複数飛びの折り返しコースごとに本体部分の編み糸でもって編み込んでなることを特徴とするニット衣料。
【請求項２】
股部と大腿部挿入部の縁取り部とを予め編成し、これら縁取り部分の最終編み糸を針床の編針に掛けた状態で、引き続き前身頃と後身頃とを交互に、上記縁取り部の編み糸を拾いながら編み込んでなるショーツ。
【請求項３】
ブラジャーの本体・カップ部分の縁取り部を予め編成し、これら縁取り部分の最終編み糸を針床の編針に掛けた状態で、引き続きブラジャーの本体部分からカップ部分に、上記縁取り部の最終編み糸を拾いながら編み込んでなるブラジャー。
【請求項４】
爪先部分のウェールを編成し、これらウェール編成の最終編み糸を針床の編針に掛けた状態で、引き続き靴下の本体部分に、上記ウェール部分の最終編み糸を拾いながら編み込んでなる靴下。
【発明の詳細な説明】
【技術分野】
【０００１】
この発明は、ショーツ、シュミーズあるいはブラジャー等のニット衣料であって、本体部分に縁取りを設けたニット衣料に関する。
【背景技術】
【０００２】
ショーツ、シュミーズあるいはブラジャー等は本体部分と縁取り部とからなり、その編成技術に関する先行技術として特許文献１および特許文献２がある。
【０００３】
【特許文献１】特開２００４-１３７６３６号公報（段落［０００９］図１、図２）
【特許文献２】特公昭６０−３５４４１号公報（特許請求の範囲および図面）
【発明の開示】
【発明が解決しようとする課題】
【０００４】
特許文献１では、「この縁部１０，１１は前後に分岐し前側では１０ａ，１１ａ、後側では１０ｂ，１１ｂとなる。編出しに続いて縁部１０ａ，１１ａをリブ編み組織で形成しつつ、適宜コース編成するごとに縁部１０ａ，１１ａを内側に移動させ、最内側のループを足挿通用開口５，６の上縁のループと重ねる編成を繰り返して縁部１０ａ，１１ａを形成するとともに足挿通用開口５，６の上縁のループを伏し目処理する。」ことを技術内容とするものである。
【０００５】
また、特許文献２は、「伸縮性糸により編成される本体編地にウェール方向の可視切断線を形成しつつ、該切断線に沿った周縁編地とこれにつづく本体編地の両方にわたる内側のあるコースでは多数条のウェールをコース方向にわたって長寸にフロートさせ、これに１ないし若干のコースを隔てたコースでは前記長寸のフロートの長さの中間において少数条のウェールをコースの方向にわたって短寸にフロートさせる組合せを、ウェール方向にくり返し分布して編成した後、上記切断線に沿って切断し、上記長寸のフロートとその伸縮性糸の収縮による編地の引寄せ作用で上記周縁編地を本体編地に二つ折りに折り曲げ状態に保持し、また短寸のフロートとその伸縮性糸の収縮により二つ折りの縁部を扁平に形成する」ものである。
【０００６】
上記特許文献１の先行技術では、前後の編地を編成しながら縁部を形成するものであるから生産性が低く、縁取り部の先端部分の先でギザギザになり、特許文献２の技術では、縁取り部が分厚くなる問題点があり、一般的に編み組織の縁（特にコース側）に反り返りが現われ、長くフロートした編み糸が着衣の際に爪・指に引っ掛かる等の問題があった。
【０００７】
上記問題に鑑みこの発明は、生産性を向上させ、ニット衣料の縁取り部が反り返ることがなく、また、分厚くならないニット衣料を提供することを課題とする。
【課題を解決するための手段】
【０００８】
上記課題を解決するためにこの発明は、タック目編み、片畦編み、両畦編み、袋編み、振り柄編みのいずれか、あるいは、これらの組み合わせにより、ニット衣料の縁取り部を編成し、上記縁取り部のウェールの編み目を、本体部分の編み組織の折り返しコースごとに、または複数飛びの折り返しコースごとに本体部分の編み糸でもって編み込んでなる構成を採用したもので、この構成はショーツ、ブラジャーあるいは靴下の爪先部分に適用することができる。
【発明の効果】
【０００９】
上記の如く構成するこの発明によれば、縁取り部が別途編成され、本体部分を編成するときに縁取り部のウェールを編み込むので生産性が高くなり、縁周り部分が反り返ることがなく分厚くなることもない。また、縁取り部のウェールを編み込む本体部分のコースの折り返し間隔を適宜変えることによって本体部分の膨らみ具合を調整することができる。
【発明を実施するための最良の形態】
【００１０】
次にこの発明の実施の形態を、図面を参照しながら説明する。
【００１１】
図１はショーツを編成する場合の説明図で、同図（ａ）に示すように、予め股部２１と大腿部挿入部２７の縁取り部２２ａ、２２ｂとをタック目編み（ニット目編み、片畦編み、両畦編み、袋編み、振り柄編みのいずれか、あるいは、これらの組合せでもよい）によって横向きＨ形で、その端が繋がった状態に編成する。
【００１２】
こうして編成した縁取り部２２ａ、２２ｂに対し、その縁取り部を針床の編針から外さず引き続いて、例えばゴム編みで同図（ｂ）に示すように、本体部分２３の前身頃２３ｆと後身頃２３ｂを交互（交互とはキャリッジの往復ごと、複数往復ごとを意味する）に編み進めていくが、コース方向に編み進む編み糸が折り返すとき、図２に示すように縁取り部のウェールｄ，ｅ，ｆ，ｇ・・・（・・・ａ，ｂ，ｃは股部に相当）に編み針が進入して編み込んで行くこととなる。なお、前身頃と後身頃は、別々の編み糸が、別々の糸道を経て供給されて交互に編成される。
【００１３】
本体部分２３の前身頃２３ｆ側の編み組織は、編み進む内に徐々に目増やしが進み大腿部挿入部２７の曲線が画かれ、同じく後身頃２３ｂ側の編み組織は、急に目増やしが進みヒップ部分の曲線が画かれ、前身頃・後身頃の縁取り部２２ｆ，２２ｂが繋がったところで大腿部挿入部２７が形成される。
【００１４】
また、本体部分２３の前身頃２３ｆを編み進むときは、コースの折り返しごとにウェールの編み目を編み込み本体部分２３の前身頃２３ｆの編み組織に緩みがない（着用者のお腹にフィットする）ようにし、後身頃２３ｂを編み進むときは、複数、あるいはそれ以上の間隔をあけたコースの折り返しごとにウェールの編み目を編み込み本体部分２３の後身頃２３ｂの編み組織に膨らみができるようにしてヒップの収まりをよくする。
【００１５】
縁取り部２２がなくなると胴回り（本体部分２３）の編成になるが、胴周りの編成では、編み糸を1個の糸道から供給して前後の針床を周回するように編成する。また、二個の糸道から編み糸を交互に供給してキャリッジが折り返すときに前後の編み糸が交絡するように編成することもできる。
【００１６】
さらに、胴回りの編成では、腰回りの部分でウェールの数を段階的に減らし（目減らし）をするならば、腰回りによくフィットするようになる。
【００１７】
図２は、本体部分（前・後身頃２３ｆ，２３ｂ）の目増やし２５をしながら縁取り部２２のウェールｅ，ｆ，ｇを編み込んで行く状態を説明するものである。この図では本体部分の編み進むコース２、４、６の目増やし２５と、縁取り部のウェールｅ，ｆ，ｇとの編み込み状況を分かり易くするために、縁取り部を横に延したままにして編み糸を長く表しているが、実際には編み込んだ部分は針床から下方に移動するので、縁取り部２２は編み込みのつど本体部分２３に沿うようになっている。なお、この説明では一コースおきにひと目を増やしているが、それ以上増やすときも同様の手法で行う。また、逆に数コース飛びに目を増やすときも同様の手法で行う。
【００１８】
図３は本体部分２３を目減らし２６をしながら縁取り部２２のウェールａ、ｂ、ｃを編み込んだ状態を示す。この図では編み込み状況を分かり易くするために、縁取り部２２を本体部分のコース側に沿わせ、ウェールの編み糸を長く延して編み組織を表しているが、実際には編み込んだ部分は針床から下方に移動するので、縁取り部２２は編み込みのつど本体部分２３に沿い、編み糸も短くなっている。
【００１９】
図４はこの発明をブラジャー２４に適用したもので、この場合、本体部分を目増やし２５から目減らし２６（図２、図３を参照）へと連続して編成しながら縁取り部２４ｒを編み込むこととなる。
【００２０】
ブラジャー２４の編成では、左右のカップ２４ｃの繋ぎ部分２４ｊと周囲の縁取り部２４ｒを予めウェール２４ｗとして編成し、次に本体部であるカップ２４ｃを編成するとき、その周囲に予め編成しておいたウェール２４ｗを編み込んで縁取り部２４ｒとするものである。なお、吊り紐２８の部分は一般的な手法で別途編成する。
【００２１】
図５は、靴下３０の爪先に適用した例を示すもので、この靴下３０の外観は親指部分３１と他の指部分３２（人差し指から小指まで）とを二分した状態になっているが、他の指部分３２は内部で仕切り３３が設けられて各指が分かれるようになっている。
【００２２】
図面上のハッチングを施した親指３１と他の指部分３２をウェール３５として編成し、次に靴下本体部分３４を順次編成し、このとき前もって編成したウェール３５を上記手法で編み込んで行くことになる。
【００２３】
上記実施例は、足の指が内部で分かれるようになった特殊な靴下について説明したが親指から小指まで一つになった従来からある一般的な靴下の爪先の編成にも適用できることは言うまでもない。
【００２４】
以上ショーツ、ブラジャーおよび靴下について説明したが、シュミーズその他のニット衣料の本体部分に縁取り部の編み込むのに適用することができる。
【産業上の利用可能性】
【００２５】
以上説明した通り、本体部分を編成するときに縁取り部の縁のウェールを編み込むので生産性が高くなり、縁周り部分が反り返えらず、分厚くなることもないので着心地がよくなって需要家からの期待が広がり、また、縁取り部の１ウェールに対する本体部分のコースの数を適宜選択することにより本体部分の膨らみやヒップラインを形成する効果が得られる。
【図面の簡単な説明】
【００２６】
【図１】（ａ）縁取り部を本体部分に編み込む状態の説明図、（ｂ）本発明に係るショーツの正面図
【図２】目増やし部にウェールを編み込んだ編み組織説明図
【図３】目減らし部にウェールを編み込んだ編み組織説明図
【図４】本発明を適用したブラジャーの編成説明図
【図５】本発明を適用した靴下爪先部の（ａ）平面図、（ｂ）断面図
【符号の説明】
【００２７】
１〜１５  編み組織のコース番号
２１  股部
２２  縁取り部
２２ｆ  縁取り部（前身頃に対応）
２２ｂ  縁取り部（後身頃に対応）
２３  本体部分
２３ｆ  本体部分の前身頃
２３ｂ  本体部分の後身頃
２４  ブラジャー
２４ｃ  カップ
２４ｊ  繋ぎ部分（ブラジャーの）
２４ｒ  縁取り部（ブラジャーの）
２４ｗ  ウェール
２５  目増やし
２６  目減らし
２７  大腿部挿入部
２８  吊り紐
３０  靴下
３１  親指部分
３２  他の指部分
３３  仕切り
３４  靴下の本体部分
３５  ウェール
【図１】
2007197856.tif 000003
【図２】
2007197856.tif 000004
【図３】
2007197856.tif 000005
【図４】
2007197856.tif 000006
【図５】
2007197856.tif 000007